(57)【要約】【課題】  この発明は、自己のファクシミリ装置に設定されている設定情報を他のファクシミリ装置に送信することが可能となるファクシミリ装置間の設定データ転送方法を提供することを目的とする。【解決手段】  設定情報付与側ファクシミリ装置は、設定情報付与モード時において、設定情報受取側ファクシミリ装置にコーリングを行って、手順信号のやりとりを行った後に、メモリ書き込みコマンドとともに設定情報付与側ファクシミリ装置内の設定情報記憶手段に設定されている設定情報を設定情報受取側ファクシミリ装置に送信し、設定情報受取側ファクシミリ装置は、メモリ書き込みコマンドとともに設定情報を受信した際には、受信した設定情報を設定情報受取側ファクシミリ装置内の設定情報記憶手段に記憶させるようにしたことを特徴とする。【選択図】  図１
2005109773.tif 000002
【特許請求の範囲】
【請求項１】
送信モードとして、自己のファクシミリ装置の設定情報記憶手段に設定されている設定情報を他のファクシミリ装置に送信するための設定情報付与モードが用意されており、
設定情報付与側ファクシミリ装置は、設定情報付与モード時において、設定情報受取側ファクシミリ装置にコーリングを行って、手順信号のやりとりを行った後に、メモリ書き込みコマンドとともに設定情報付与側ファクシミリ装置内の設定情報記憶手段に設定されている設定情報を設定情報受取側ファクシミリ装置に送信し、
設定情報受取側ファクシミリ装置は、メモリ書き込みコマンドとともに設定情報を受信した際には、受信した設定情報を設定情報受取側ファクシミリ装置内の設定情報記憶手段に記憶させるようにしたことを特徴とするファクシミリ装置間の設定データ転送方法。
【請求項２】
送信モードとして、他のファクシミリ装置の設定情報記憶手段に設定されている設定情報を自己のファクシミリ装置が受け取るための設定情報受取モードが用意されており、
設定情報受取側ファクシミリ装置は、設定情報受取モード時において、設定情報付与側ファクシミリ装置にコーリングを行って、手順信号のやりとりを行った後に、設定情報要求コマンドを設定情報付与側ファクシミリ装置に送信し、
設定情報付与側ファクシミリ装置は、設定情報要求コマンドを受信した際には、手順信号のやりとりを行った後に、設定情報付与側ファクシミリ装置内の設定情報記憶手段に設定されている設定情報を設定情報受取側ファクシミリ装置に送信し、
設定情報受取側ファクシミリ装置は、設定情報を受信したときには、受信した設定情報を設定情報受取側ファクシミリ装置内の設定情報記憶手段に記憶させるようにしたことを特徴とするファクシミリ装置間の設定データ転送方法。
【発明の詳細な説明】
【技術分野】
【０００１】
この発明は、ファクシミリ装置間の設定データ転送方法に関する。
【背景技術】
【０００２】
ファクシミリ装置内のＳＲＡＭに格納されている宛て先情報、部門管理データ等の設定情報をコンピュータで受信したり、コンピュータから設定データをファクシミリ装置に送信したりする方法として、いわゆる「リモート診断通信」が知られている。このような通信を行うためには、「リモート診断通信」を行うためのソフトと、モデムが搭載されたコンピュータとが必要である。
【特許文献１】特開平１０−２４３１４６号公報
【発明の開示】
【発明が解決しようとする課題】
【０００３】
この発明は、自己のファクシミリ装置に設定されている設定情報を他のファクシミリ装置に送信することが可能となるファクシミリ装置間の設定データ転送方法を提供することを目的とする。
【０００４】
この発明は、他のファクシミリ装置で設定された設定情報を要求して受信することが可能となるファクシミリ装置間の設定データ転送方法を提供することを目的とする。
【課題を解決するための手段】
【０００５】
請求項１に記載の発明は、送信モードとして、自己のファクシミリ装置の設定情報記憶手段に設定されている設定情報を他のファクシミリ装置に送信するための設定情報付与モードが用意されており、設定情報付与側ファクシミリ装置は、設定情報付与モード時において、設定情報受取側ファクシミリ装置にコーリングを行って、手順信号のやりとりを行った後に、メモリ書き込みコマンドとともに設定情報付与側ファクシミリ装置内の設定情報記憶手段に設定されている設定情報を設定情報受取側ファクシミリ装置に送信し、設定情報受取側ファクシミリ装置は、メモリ書き込みコマンドとともに設定情報を受信した際には、受信した設定情報を設定情報受取側ファクシミリ装置内の設定情報記憶手段に記憶させるようにしたことを特徴とする。
【０００６】
請求項２に記載の発明は、送信モードとして、他のファクシミリ装置の設定情報記憶手段に設定されている設定情報を自己のファクシミリ装置が受け取るための設定情報受取モードが用意されており、設定情報受取側ファクシミリ装置は、設定情報受取モード時において、設定情報付与側ファクシミリ装置にコーリングを行って、手順信号のやりとりを行った後に、設定情報要求コマンドを設定情報付与側ファクシミリ装置に送信し、設定情報付与側ファクシミリ装置は、設定情報要求コマンドを受信した際には、手順信号のやりとりを行った後に、設定情報付与側ファクシミリ装置内の設定情報記憶手段に設定されている設定情報を設定情報受取側ファクシミリ装置に送信し、設定情報受取側ファクシミリ装置は、設定情報を受信したときには、受信した設定情報を設定情報受取側ファクシミリ装置内の設定情報記憶手段に記憶させるようにしたことを特徴とする。
【発明の効果】
【０００７】
この発明によれば、自己のファクシミリ装置に設定されている設定情報を他のファクシミリ装置に送信することが可能となる。
【０００８】
また、この発明によれば、他のファクシミリ装置で設定された設定情報を要求して受信することが可能となる。
【発明を実施するための最良の形態】
【０００９】
以下、図面を参照して、この発明の実施例について説明する。
【実施例】
【００１０】
図１は、全体的なシステム構成を示している。
【００１１】
複数のファクシミリ装置１、２、３が内線電話網１００を介して接続されている。また、内線電話網１００には、公衆電話回線２００を介してさらに他のファクシミリ装置４が接続されている。
【００１２】
図２は、ファクシミリ装置１〜４の構成を示している。
【００１３】
ファクシミリ装置は、ＣＰＵ１１によって制御される。ＣＰＵ１１は、そのプログラム等を記憶するＲＯＭ１２、画像データ、その他の必要なデータを記憶するＤＲＡＭ１３および各種設定内容（設定情報）を記憶するためのＳＲＡＭ１４を備えている。ＳＲＡＭ１４は、蓄電池等によってバックアップされている。設定情報には、短縮ダイヤル、ワンタッチダイヤル等の宛て先データ、部門管理データ等が含まれている。
【００１４】
ＣＰＵ１１には、原稿画像を読み取るためのスキャナ部１５、受信された画像を印刷するためのプリント部１６、各種の操作および設定を行う操作部１７、各種の案内を表示する表示部１８、モデム１９等が接続されている。モデム１９には、ＮＣＵ２０が接続されている。ＮＣＵ２０には、内線電話網１００または公衆電話回線２００が接続されている。
【００１５】
この実施の形態では、各ファクシミリ装置は、他のファクシミリ装置に発呼して、自己のファクシミリ装置に設定された設定情報を、他のファクシミリ装置に付与する設定情報付与機能を備えている。また、各ファクシミリ装置は、他のファクシミリ装置に発呼して、他のファクシミリ装置に設定されている設定情報を受取る設定情報受取機能を備えている。このような機能を合わせて、設定情報付与・受取機能ということにする。
【００１６】
各ファクシミリ装置には、通常のファクシミリ装置が備えるモードの他、動作モードとして設定情報付与機能を実行する際に設定される設定情報付与モードと、設定情報受取機能を実行する際に設定される設定情報受取モードとがあるものとする。
【００１７】
ユーザは、設定情報付与機能を実行させる際には、動作モードを設定情報付与モードに設定し、設定情報を受け取る側の指定等を行った後、実行キー（例えば、スタートキー）を押す。
【００１８】
また、ユーザは、設定情報受取機能を実行させる際には、動作モードを設定情報受取モードに設定し、設定情報を付与する側の指定等を行った後、実行キーを押す。
【００１９】
図３は、任意のファクシミリ装置（以下、付与側ファクシミリ装置という）が、他のファクシミリ装置（以下、受取側ファクシミリ装置という）に発呼して、自己のファクシミリ装置に設定された設定情報を、他のファクシミリ装置に付与する場合の、シーケンスを示している。図３において、括弧内の数字は、シーケンス番号を示している。
【００２０】
付与側ファクシミリ装置（発呼側装置）から受取側ファクシミリ装置（被呼側装置）にコーリング・トーン（ＣＮＧ）が送出され、回線が接続される（シーケンス番号（１））。
【００２１】
回線が接続されると、受取側ファクシミリ装置は、被呼端末識別信号（ＣＥＤ）を送出するとともに（シーケンス番号（２））、非標準機能識別信号（ＮＳＦ）、被呼端末識別信号（ＣＳＩ）、デジタル識別信号（ＤＩＳ）を送出する（シーケンス番号（３））。非標準機能識別信号（ＮＳＦ）には、設定情報付与・受取機能を備えているか否かを示すビットが設けられているものとする。
【００２２】
付与側ファクシミリ装置は、受信した非標準機能識別信号（ＮＳＦ）に基づいて、受取側ファクシミリ装置が設定情報付与・受取機能を備えているか否かを判別する。この実施の形態では、ＮＳＦ信号における設定情報付与・受取機能を備えているか否かを示すビットが”１”に設定されているものとする。
【００２３】
受取側ファクシミリ装置が設定情報付与・受取機能を備えていると判別した場合には、付与側ファクシミリ装置は、非標準機能識別信号（ＮＳＳ）を送出するとともに（シーケンス番号（４））、トレーニングチェック信号（ＴＣＦ）を送出する（シーケンス番号（５））。
【００２４】
受取側ファクシミリ装置は、ＮＳＳ信号およびＴＣＦ信号を受信すると、受信準備確認信号（ＣＦＲ）を送出する（シーケンス番号（６））。
【００２５】
付与側ファクシミリ装置は、ＣＦＲ信号を受信すると、受取側ファクシミリ装置に受信データをＳＲＡＭに書き込ませるためのコマンド（以下、メモリ書き込みコマンドという）と、ＳＲＡＭ内の設定情報とを送出した後（シーケンス番号（７））、手順中断信号（ＰＰＳ−ＥＯＭ）を送出する（シーケンス番号（８））。
【００２６】
受取側ファクシミリ装置は、メモリ書き込みコマンドを受信することによって、今回の通信が発呼側装置にとって設定情報を付与するための通信であることを認識する。受取側ファクシミリ装置は、設定情報を受信すると、受信した設定情報をＳＲＡＭに書き込む。また、受取側ファクシミリ装置は、ＰＰＳ−ＥＯＭ信号を受信すると、メッセージ確認信号（ＭＣＦ）を送出する（シーケンス番号（９））。
【００２７】
付与側ファクシミリ装置は、ＭＣＦ信号を受信すると、切断命令信号（ＤＣＮ）を送出する（シーケンス番号（１０））。これにより、回線が切断される。
【００２８】
図４は、任意のファクシミリ装置（以下、受取側ファクシミリ装置という）が、他のファクシミリ装置（以下、付与側ファクシミリ装置という）に発呼して、付与側ファクシミリ装置に設定されている設定情報を受け取る場合の、シーケンスを示している。
【００２９】
受取側ファクシミリ装置（発呼側装置）から付与側ファクシミリ装置（披呼側装置）にコーリング・トーン（ＣＮＧ）が送出され、回線が接続される（シーケンス番号（２１））。
【００３０】
回線が接続されると、付与側ファクシミリ装置は、被呼端末識別信号（ＣＥＤ）を送出するとともに（シーケンス番号（２２））、非標準機能識別信号（ＮＳＦ）、被呼端末識別信号（ＣＳＩ）、デジタル識別信号（ＤＩＳ）を送出する（シーケンス番号（２３））。非標準機能識別信号（ＮＳＦ）には、設定情報付与・受取機能を備えているか否かを示すビットが設けられているものとする。
【００３１】
受取側ファクシミリ装置は、受信した非標準機能識別信号（ＮＳＦ）に基づいて、受取側ファクシミリ装置が設定情報付与・受取機能を備えているか否かを判別する。この実施の形態では、ＮＳＦ信号における設定情報付与・受取機能を備えているか否かを示すビットが”１”に設定されているものとする。
【００３２】
付与側ファクシミリ装置が設定情報付与・受取機能を備えていると判別した場合には、受取側ファクシミリ装置は、非標準機能識別信号（ＮＳＳ）を送出するとともに（シーケンス番号（２４））、トレーニングチェック信号（ＴＣＦ）を送出する（シーケンス番号（２５））。
【００３３】
付与側ファクシミリ装置は、ＮＳＳ信号およびＴＣＦ信号を受信すると、受信準備確認信号（ＣＦＲ）を送出する（シーケンス番号（２６））。
【００３４】
受取側ファクシミリ装置は、ＣＦＲ信号を受信すると、設定情報を要求するためのコマンド（設定情報要求コマンド）を送出した後（シーケンス番号（２７））、手順中断信号（ＰＰＳ−ＥＯＭ）を送出する（シーケンス番号（２８））。
【００３５】
付与側ファクシミリ装置は、設定情報要求コマンドを受信すると、今回の通信が発呼側装置にとって設定情報を要求するための通信であることを認識する。付与側ファクシミリ装置は、ＰＰＳ−ＥＯＭ信号を受信すると、メッセージ確認信号（ＭＣＦ）を送出した後（シーケンス番号（２９））、非標準機能識別信号（ＮＳＦ）、被呼端末識別信号（ＣＳＩ）、デジタル識別信号（ＤＩＳ）を送出する（シーケンス番号（３０））。
【００３６】
受取側のファクシミリ装置は、ＭＣＦ信号、ＮＳＦ信号、ＣＳＩ信号およびＤＩＳ信号を受信すると、非標準機能識別信号（ＮＳＣ）、被呼端末識別信号（ＣＩＧ）、デジタル識別信号（ＤＴＣ）を送出する（シーケンス番号（３１））。
【００３７】
付与側ファクシミリ装置は、ＮＳＣ信号、ＣＩＧ信号およびＤＴＣ信号を受信すると、非標準機能識別信号（ＮＳＳ）を送出するとともに（シーケンス番号（３２））、トレーニングチェック信号（ＴＣＦ）を送出する（シーケンス番号（３３））。
【００３８】
受取側のファクシミリ装置は、ＮＳＳ信号およびＴＣＦ信号を受信すると、受信準備確認信号（ＣＦＲ）を送出する（シーケンス番号（３４））。
【００３９】
付与側ファクシミリ装置は、ＣＦＲ信号を受信すると、ＳＲＡＭ内の設定情報を送出した後（シーケンス番号（３５））、手順中断信号（ＰＰＳ−ＥＯＭ）を送出する（シーケンス番号（３６））。
【００４０】
受取側ファクシミリ装置は、設定情報を受信すると、受信した設定情報をＳＲＡＭに書き込む。また、受取側ファクシミリ装置は、ＰＰＳ−ＥＯＭ信号を受信すると、メッセージ確認信号（ＭＣＦ）を送出する（シーケンス番号（３７））。
【００４１】
付与側ファクシミリ装置は、ＭＣＦ信号を受信すると、切断命令信号（ＤＣＮ）を送出する（シーケンス番号（３８））。これにより、回線が切断される。
【図面の簡単な説明】
【００４２】
【図１】全体的なシステム構成を示すブロック図である。
【図２】ファクシミリ装置１〜４の構成を示すブロック図である。
【図３】任意のファクシミリ装置が、他のファクシミリ装置に発呼して、自己のファクシミリ装置に設定された設定情報を、他のファクシミリ装置に付与する場合のシーケンスを示すシーケンス図である。
【図４】任意のファクシミリ装置が、他のファクシミリ装置に発呼して、付与側ファクシミリ装置に設定されている設定情報を受け取る場合のシーケンスを示すシーケンス図である。
【符号の説明】
【００４３】
１、２、３、４  ファクシミリ装置
１１  ＣＰＵ
１２  ＲＯＭ
１３  ＤＲＡＭ
１４  ＳＲＡＭ
１５  スキャナ部
１６  プリント部
１７  操作部
１８  表示部
１９  モデム
２０  ＮＣＵ
１００  内線電話網
２００  電話回線
【図１】
2005109773.tif 000003
【図２】
2005109773.tif 000004
【図３】
2005109773.tif 000005
【図４】
2005109773.tif 000006